(57)【要約】【課題】本開示は、空調システムにおける複数の検査を効率的に実行するためのものである。【解決手段】第１観点の検査実行方法は、複数の機器（１）それぞれに対して、複数の検査を実行させるための、コンピュータによる検査実行方法である。検査実行方法は、スケジュール決定ステップと、検査ステップと、を備える。スケジュール決定ステップは、複数の検査の順序を少なくとも含む検査スケジュールを決定する。検査ステップは、決定された検査スケジュールに基づいて、機器（１）に検査を実行させる。【選択図】図１
2020139674.tif 000002
【特許請求の範囲】
【請求項１】
複数の機器（１）それぞれに対して複数の検査を実行させるための、コンピュータによる検査実行方法であって、
複数の前記検査の順序を少なくとも含む検査スケジュールを決定する、スケジュール決定ステップ（Ｓ１０４）と、
決定された前記検査スケジュールに基づいて、前記機器（１）に前記検査を実行させる、検査ステップ（Ｓ１０５）と、
を備える、
検査実行方法。
【請求項２】
前記スケジュール決定ステップ（Ｓ１０４）は、前記検査の結果である検査結果に異常が発生した場合に必要な対応を実行するために要する時間である、異常対応時間が長い前記検査を、前記異常対応時間が短い前記検査、より先に実行するように前記検査スケジュールを決定する、
請求項１に記載の検査実行方法。
【請求項３】
前記検査は、前記機器（１）の前記検査が他の前記機器（１）の前記検査の結果に及ぼす影響がない、あるいは、前記影響が小さい第１の種類の検査と、前記第１の種類の検査よりも前記影響が大きい第２の種類の検査と、を含み、
前記検査スケジュールは、前記影響が小さい前記第１の種類の検査を重複して実行させるように決定される、
請求項１または２のいずれかに記載の検査実行方法。
【請求項４】
前記機器（１）は、熱源ユニット（２ａ、２ｂ、２ｃ、２ｄ）に利用ユニット（３ａ〜５ａ、３ｂ〜５ｂ、３ｃ〜５ｃ、３ｄ〜５ｄ）が接続されることによって構成される冷媒サイクル装置であって、
前記検査は、前記冷媒サイクル装置に充填する冷媒の冷媒充填量の検査と、前記熱源ユニット（２ａ、２ｂ、２ｃ、２ｄ）及び前記利用ユニット（３ａ〜５ａ、３ｂ〜５ｂ、３ｃ〜５ｃ、３ｄ〜５ｄ）を接続するための配線が適切であるか否かを調べる配線の検査と、を含む、
請求項１から３のいずれかに記載の検査実行方法。
【請求項５】
前記スケジュール決定ステップ（Ｓ１０４）は、複数の前記機器（１）の配置の情報である、配置情報に基づいて決定する、
請求項１から４のいずれかに記載の検査実行方法。
【請求項６】
それぞれの前記検査を実行するために要する時間である、検査時間を予測する、検査時間予測ステップ（Ｓ１０２）、
をさらに備え、
前記スケジュール決定ステップ（Ｓ１０４）は、予測された前記検査時間に基づいて前記検査スケジュールを決定する、
請求項１から５のいずれかに記載の検査実行方法。
【請求項７】
前記検査の前記結果である検査結果を記憶する検査結果記憶ステップ（Ｓ１０７、Ｓ１１２）と、
前記検査結果を表示する検査結果記憶ステップ（Ｓ１１１）と、
をさらに備える、
請求項１から６のいずれかに記載の検査実行方法。
【請求項８】
前記検査結果が正常であるか否かを判断する検査結果判断ステップ（Ｓ１０６）と、
前記検査結果判断ステップ（Ｓ１０６）の前記検査結果が正常でない場合、前記検査を中断する検査中断ステップ（Ｓ１１２）と、
をさらに備える、
請求項１から７のいずれかに記載の検査実行方法。
【請求項９】
前記検査ステップ（Ｓ１０５）の進捗状況に基づいて、前記検査スケジュールを変更するスケジュール変更ステップ（Ｓ１０８）、
をさらに備える、
請求項１から８のいずれかに記載の検査実行方法。
【請求項１０】
熱源ユニット（２ａ、２ｂ、２ｃ、２ｄ）に利用ユニット（３ａ〜５ａ、３ｂ〜５ｂ、３ｃ〜５ｃ、３ｄ〜５ｄ）が接続されることによって構成される複数の冷媒サイクル装置に対してそれぞれ複数の検査を実行させるためのコンピュータ、に接続された管理サーバ（４０）あって、
複数の前記検査の順序を少なくとも含む検査スケジュールを決定する、スケジュール決定部（４４）と、
決定された前記検査スケジュールに基づいて前記検査の実行を指示する、検査指示部（４７）と、
を備える管理サーバ（４０）。
【請求項１１】
前記管理サーバ（４０）を利用する利用者を照合する照合情報を記憶する、記憶部（４１）と、
前記照合情報を各前記利用者と照合する、照合部（４８）と、
をさらに備える、
請求項１０に記載の管理サーバ（４０）。
【請求項１２】
熱源ユニット（２）に利用ユニット（３ａ〜５ａ、３ｂ〜５ｂ、３ｃ〜５ｃ、３ｄ〜５ｄ）が接続されることによって構成される複数の冷媒サイクル装置に対してそれぞれ複数の検査を実行させるためのコンピュータ、に接続されたモバイル端末（３０）であって、
前記検査の対象である前記冷媒サイクル装置を指定する、検査機器指定部（３２）と、
前記検査の結果を表示する、表示部（３４）と、
をさらに備える、
モバイル端末（３０）。
【請求項１３】
前記モバイル端末（３０）を利用する利用者を照合するための照合情報を記憶する、記憶部（３１）、
をさらに備え、
前記照合情報は、個人識別情報、パスワード、モバイル端末識別情報、モバイル端末位置情報、のうち少なくとも１つを含む、
請求項１２に記載のモバイル端末（３０）。
【請求項１４】
熱源ユニット（２）に複数の利用ユニット（３ａ〜５ａ、３ｂ〜５ｂ、３ｃ〜５ｃ、３ｄ〜５ｄ）が接続される冷媒サイクル装置であって、
前記冷媒サイクル装置に対し、複数の検査を実行させる検査指示、を受信する受信部（２５）と、
前記受信部（２５）が前記検査指示を受信すると、前記検査を実行する検査実行部（２６）と、
前記検査実行部（２６）が行った前記検査の結果を出力する、出力部（２８）と、
を備える、
冷媒サイクル装置（１）。
【発明の詳細な説明】
【技術分野】
【０００１】
冷媒サイクル装置に対し複数の検査を実行させるための検査実行方法と、検査実行方法を実現する、管理サーバ、モバイル端末、及び、冷媒サイクル装置と、に関する。
【背景技術】
【０００２】
例えば、特許文献１（特公平０７−０６５７９２号公報）に記載の方法のように、複数の室内ユニットと複数の室外ユニットによって構成される空調システムにおいて、空調システムの運用開始前に複数の検査を実行する方法がある。
【発明の概要】
【発明が解決しようとする課題】
【０００３】
本開示は、空調システムにおける複数の検査を効率的に実行するためのものである。
【課題を解決するための手段】
【０００４】
第１観点の検査実行方法は、複数の機器それぞれに対して、複数の検査を実行させるための、コンピュータによる検査実行方法である。検査実行方法は、スケジュール決定ステップと、検査ステップと、を備える。スケジュール決定ステップは、複数の検査の順序を少なくとも含む検査スケジュールを決定する。検査ステップは、決定された検査スケジュールに基づいて、機器に検査を実行させる。
【０００５】
これによって、複数の検査を効率的に実行することができる。
【０００６】
第２観点の検査実行方法は、第１観点の検査実行方法であって、異常対応時間が長い検査を、異常対応時間が短い検査、より先に実行するように検査スケジュールを決定する。異常対応時間は、検査の結果である検査結果に異常が発生した場合に必要な対応を実行するために要する時間である。
【０００７】
第３観点の検査実行方法は、第１観点又は第２観点のいずれかの検査実行方法であって、検査は、機器の検査が他の機器の検査の結果に及ぼす影響がない、あるいは、影響が小さい第１の種類の検査と、第１の種類の検査よりも影響が大きい第２の種類の検査と、を含む。検査スケジュールは、影響が小さい第１の種類の検査を重複して実行させるように決定される。
【０００８】
第４観点の検査実行方法は、第１観点から第３観点のいずれかの検査実行方法であって、機器は、熱源ユニットに複数の利用ユニットが接続される冷媒サイクル装置である。検査は、冷媒サイクル装置に充填する冷媒の冷媒充填量の検査と、熱源ユニットと複数の利用ユニットとを接続するための配線が適切であるか否かを調べる配線の検査と、を含む。
【０００９】
第５観点の検査実行方法は、第１観点から第４観点のいずれかの検査実行方法であって、スケジュール決定ステップは、複数の機器の配置の情報である、配置情報に基づいて決定する。
【００１０】
第６観点の検査実行方法は、第１観点から第５観点のいずれかの検査実行方法であって、それぞれの検査を実行するために要する時間である、検査時間を予測する、検査時間予測ステップ、をさらに備える。スケジュール決定ステップは、予測された検査時間に基づいて検査スケジュールを決定する。
【００１１】
第７観点の検査実行方法は、第１観点から第６観点のいずれかの検査実行方法であって、検査結果記憶ステップと、検査結果表示ステップと、をさらに備える。検査結果記憶ステップは、検査の結果である検査結果を記憶する。検査結果表示ステップは、検査結果を表示する。
【００１２】
第８観点の検査実行方法は、第１観点から第７観点のいずれかの検査実行方法であって、検査結果判断ステップと、検査中断ステップと、をさらに備える。検査結果判断ステップは、検査結果が正常であるか否かを判断する。検査中断ステップは、検査結果判断ステップの検査結果が正常でない場合、検査を中断する。
【００１３】
第９観点の検査実行方法は、第１観点から第８観点のいずれかの検査実行方法であって、検査ステップの進捗状況に基づいて、検査スケジュールを変更するスケジュール変更ステップ、をさらに備える。
【００１４】
第１０観点の管理サーバは、熱源ユニットに複数の利用ユニットが接続される冷媒サイクル装置である複数の機器に対して、それぞれ複数の検査を実行させるためのコンピュータに接続された管理サーバである。管理サーバは、スケジュール決定部と、検査指示部と、を備える。スケジュール決定部は、複数の検査の順序を少なくとも含む。検査指示部は、決定された検査スケジュールに基づいて検査の実行を指示する。
【００１５】
これによって、複数の検査を効率的に実行することができる検査スケジュールを作成可能である。
【００１６】
第１１観点の管理サーバは、第１０観点の管理サーバであって、記憶部と、照合部と、をさらに備える。記憶部は、管理サーバを利用する利用者を照合する照合情報を記憶する。照合部は、記照合情報を各利用者と照合する。
【００１７】
第１２観点のモバイル端末は、熱源ユニットに複数の利用ユニットが接続される冷媒サイクル装置である複数の機器に対して、それぞれ複数の検査を実行させるためのコンピュータに接続されたモバイル端末である。モバイル端末は、検査機器指定部と、表示部と、を備える。検査機器指定部は、検査の対象である機器を指定する。表示部は、検査の結果を表示する。
【００１８】
第１３観点のモバイル端末は、第１２観点のモバイル端末であって、モバイル端末を利用する利用者を照合するための照合情報を記憶する、記憶部、をさらに備える。照合情報は、個人識別情報、パスワード、モバイル端末識別情報、モバイル端末位置情報、のう少なくとも１つを含む。
【００１９】
第１４観点の冷媒サイクル装置は、熱源ユニットに複数の利用ユニットが接続される冷媒サイクル装置である。冷媒サイクル装置は、実行指示受信部と、検査実行部と、検査結果出力部と、を備える。実行指示受信部は、冷媒サイクル装置に対し複数の検査を実行させる検査指示、を受信する。検査実行部は、実行指示受信部が検査指示を受信すると、検査を実行する。検査結果出力部は、検査指示部が行った検査の結果を出力する。
【図面の簡単な説明】
【００２０】
【図１】スケジュール作成システムの模式図である。
【図２Ａ】空気調和装置の概略構成図である。
【図２Ｂ】空気調和装置の概略構成図における誤配線を示す図である。
【図３】入力画面の一例である。
【図４Ａ】検査スケジュールの一例である。
【図４Ｂ】検査スケジュールの模式図である。
【図５】異常情報の一例である。
【図６】記憶部の模式図である。
【図７】保留スケジュールの一例である。
【図８】管理サーバによる検査処理の流れのフローチャートである。
【発明を実施するための形態】
【００２１】
以下、本開示の一実行形態に係るスケジュール作成システム１００について説明する。なお、以下の実行形態は、具体例であって、技術的範囲を限定するものではなく、趣旨を逸脱しない範囲で適宜変更可能である。
【００２２】
（１）スケジュール作成システム１００
対象物件に複数の空気調和装置１が施工されると、空気調和装置１は、冷房や暖房等の空調運転の運用開始前に複数の検査を実行する。図１に示す、スケジュール作成システム１００は、各検査を実行する順序を決定し、決定した順序に基づいて各検査を実行するためのシステムである。
【００２３】
スケジュール作成システム１００は、主として、空気調和装置１、管理サーバ４０、モバイル端末３０等の装置を備える。
【００２４】
（２−１）空気調和装置１
図２Ａは、空気調和装置１の概略構成図である。空気調和装置１は、対象物件において冷房や暖房等の空調運転を行う装置である。空気調和装置１は、冷媒回路において蒸気圧縮方式の冷凍サイクルを行うことにより、空調運転を行う。
【００２５】
空気調和装置１は、複数の冷媒系統を備えている。本実施形態では４つの冷媒系統Ａ、冷媒系統Ｂ、冷媒系統Ｃ、及び冷媒系統Ｄを備える。冷媒系統Ａには、熱源ユニットとしての室外ユニット２ａと、複数の利用ユニットとしての室内ユニット３ａ、４ａ、５ａと、が接続され、空間Ａの空調運転を行う。冷媒系統Ｂには、室外ユニット２ｂと、室内ユニット３ｂ、４ｂ、５ｂと、が接続され、空間Ｂの空調運転を行う。冷媒系統Ｃには、室外ユニット２ｃと、室内ユニット３ｃ、４ｃ、５ｃと、が接続され、空間Ｃの空調運転を行う。冷媒系統Ｄには、室外ユニット２ｄと、室内ユニット３ｄ、４ｄ、５ｄと、が接続され、空間Ｄの空調運転を行う。
【００２６】
空気調和装置１には、室外ユニット２ａ〜２ｄ側における室外制御部２２ａ〜２２ｄと、室内ユニット３ａ〜５ａ、３ｂ〜５ｂ、３ｃ〜５ｃ、３ｄ〜５ｄ側における複数の室内制御部２３ａ〜２５ａ、２３ｂ〜２５ｂ、２３ｃ〜２５ｃ、２３ｄ〜２５ｄと、がそれぞれ設けられている。室外制御部２２ａ〜２２ｄ、及び複数の室内制御部２３ａ〜２５ａ、２３ｂ〜２５ｂ、２３ｃ〜２５ｃ、２３ｄ〜２５ｄは、電気配線を介して通信可能となるように接続されている。
【００２７】
室外ユニット２ａ〜２ｄは、対象物件の外部に設置される。室外ユニット２ａ〜２ｄは、冷媒回路を構成する要素として、図示しないが、複数の冷媒配管、圧縮機、室外熱交換器、閉鎖弁、温度センサ及び圧力センサ等の各種センサ等を有している。
【００２８】
室内ユニット３ａ〜５ａ、３ｂ〜５ｂ、３ｃ〜５ｃ、３ｄ〜５ｄは、対象物件の天井に設置される天井埋込型、又は天井付近に設置される天井吊下型の空調室内機である。室内ユニット３ａ〜５ａ、３ｂ〜５ｂ、３ｃ〜５ｃ、３ｄ〜５ｄは、冷媒回路を構成する要素として、図示しないが、室内熱交換器、閉鎖弁、温度センサ及び圧力センサ等の各種センサ等を有している。
【００２９】
これらの室外制御部２２ａ〜２２ｄ、及び室内制御部２３ａ〜２５ａ、２３ｂ〜２５ｂ、２３ｃ〜２５ｃ、２３ｄ〜２５ｄ、によって、空気調和装置１の制御を行うための制御部２０が構成されている。
【００３０】
図１に示すように、制御部２０は、有線または無線のネットワークに接続されており、同じくネットワークに接続されるモバイル端末３０、及び管理サーバ４０等の装置と互いに信号の送受信を行う。
【００３１】
制御部２０は、機能部として図１に示す、実行指示受信部２５と、検査実行部２６と、検査結果判断部２７、検査結果出力部２８と、を有している。
【００３２】
実行指示受信部２５は、管理サーバ４０から検査を実行する旨の情報を含む、検査指示を受信する。検査指示には、検査を実行する冷媒系統に関する情報、実行する検査に関する情報等、の各検査を実行するための情報が含まれる。
【００３３】
検査実行部２６は、実行指示受信部２５が実行指示を受信すると、実行指示に基づいて空気調和装置１に検査を実行させる処理を行う。実行指示受信部２５が複数の実行指示を受信した場合、検査実行部２６は異なる冷媒系統それぞれに対する検査を同時実行可能である。
【００３４】
検査結果判断部２７は、検査実行部２６が実行している検査において取得したセンサ等の各検知値が正常であるか否かを判断し、結果情報を生成する。結果情報には、検査実行部２６が実行した検査の各検知値が正常である場合の正常情報と、検査実行部２６が実行した検査の各検知値が異常である場合の異常情報と、等が含まれる。検査結果判断部２７は異常情報を取得した場合、空気調和装置１が実行している検査を中断させる処理を行う。
【００３５】
検査結果出力部２８は、検査結果判断部２７が取得した結果情報を管理サーバ４０へ送信する。
【００３６】
（２−２）検査
ここで、空気調和装置１が実行する各検査について説明する。本実施形態において、空気調和装置１の冷媒系統Ａ、Ｂ、Ｃ、Ｄ、は、それぞれ配線検査、閉鎖弁検査、及び冷媒充填量検査、の３つの検査を実行する。もちろん検査はこれに限られるものではなく、他の検査を追加して実行してもよいし、実行しない検査があってもよい。
【００３７】
各検査は、対象物件において空気調和装置１の冷媒回路が施工され、室外制御部２２ａ〜２２ｄ、室内制御部２３ａ〜２５ａ、２３ｂ〜２５ｂ、２３ｃ〜２５ｃ、２３ｄ〜２５ｄ、の電気配線を接続する配線接続作業を終えた後で行われる。
【００３８】
各検査は、公知技術を含む所定の方法を用いて行われる。以下では、配線検査、閉鎖弁検査、及び冷媒充填量検査の検査方法の具体例について冷媒系統Ａを用いて説明する。なお、検査方法はこれに限られるものでないことはもちろんである。
【００３９】
（２−２−１）配線検査
図２Ｂは、室内ユニット５ａの室内制御部２５ａに対し、誤って冷媒系統Ｂの配線を接続している状態を示す図である。
【００４０】
配線検査は、各電気配線が適切に接続されているか否かに関する検査である。
【００４１】
配線検査では、まず、制御部２０は、室外制御部２２ａに対して圧縮機の運転を開始させる旨の指令を送る。次に、制御部２０は、冷媒系統Ａに対し、室内の空気の温度を検出する温度センサにおける検知値が、あらかじめ設定した所定の値であることを確認する。
【００４２】
ここで、図２Ｂに示すように、電気配線の接続において異常が発生している場合、冷媒系統Ａの温度センサにおける検知値が、あらかじめ設定した所定の値に達しない。
【００４３】
なお、配線検査は、他の検査に与える影響が大きいため、他の検査と重複させることなく単独で実行することが望ましい。
【００４４】
（２−２−２）閉鎖弁検査
閉鎖弁検査では、制御部２０は、圧縮機の運転が開始された時点から所定時間が経過するのを待って、冷媒系統Ａの吸入側の圧力センサ、および吐出側の圧力センサの検知値、もしくはその値の変化を把握することで、閉鎖弁の開状態の検査を行う。制御部２０は、その際に把握した吐出圧力が所定の値より高い状態になっているか否か、及び吸入圧力が所定の判定低圧値よりも低い状態になっているか否か、を判断する。
【００４５】
ここで、閉鎖弁検査において異常が発生した場合、吐出側の圧力センサの検知値が所定の高圧値より高い状態になる。
【００４６】
なお、閉鎖弁検査は、他の検査に与える影響が小さいため、他の検査と重複させて実行することが可能である。
【００４７】
（２−２−３）冷媒充填量検査
冷媒充填量検査では、制御部２０は、冷媒系統の過熱度が目標過熱度で維持された状態で、所定時間の間継続されるまで待機する処理を行う。
【００４８】
目標過熱度で所定の時間を超えて安定した状態が続いている状態において、その冷媒系統の各センサの検出値、圧縮機の回転周波数等の情報に基づいて、冷媒回路に充填されている冷媒量を算出する。
【００４９】
なお、冷媒充填量検査は、他の検査に与える影響が小さいため、他の検査と重複させて実行することが可能である。
【００５０】
（３）モバイル端末３０
図１に示すモバイル端末３０は、モバイル端末３０の利用者が保持する情報端末である。モバイル端末３０は、スマートフォンやタブレットＰＣ等の携帯端末や、ラップトップパソコン等のパーソナルコンピュータが想定されるが、他の情報処理機器であってもよい。
【００５１】
モバイル端末３０は、通信モジュールを有しており、ネットワークを介して、管理サーバ４０と通信可能に構成されている。モバイル端末３０は、無線通信及び有線通信のいずれか又は双方によってネットワークに接続される。
【００５２】
モバイル端末３０は、記憶部３１、検査機器指定部３２、入力部３３、表示部３４、及び照合情報送信部３５、を有している。
【００５３】
（３−１）記憶部３１
記憶部３１は、モバイル端末３０の構成機器のいずれか又は全てに含まれるＲＯＭ、ＲＡＭ、フラッシュメモリ、及びハードディスク等のメモリによって構成される。記憶部３１は、複数の記憶領域を含み、情報を一時的に記憶する揮発性の記憶領域や、各種情報を蓄積する不揮発性の記憶領域を有している。記憶部３１には、モバイル端末３０の利用者を照合するための照合情報が記憶されている。照合情報は、例えば、利用者に対して任意又は自動的に付与される識別情報、利用者の生体情報、モバイル端末３０に対して任意又は自動的に付与される識別情報、モバイル端末３０の位置情報、及びあらかじめ設定されたパスワード等に関する情報が含まれる。
【００５４】
（３−２）検査機器指定部３２
検査機器指定部３２は、各検査を実行する複数の冷媒系統を指定する。検査機器指定部３２は、後述する入力部３３がその機能を兼ねていてもよい。検査機器指定部３２が冷媒系統を指定すると、指定された冷媒系統の情報が指定情報として管理サーバ４０に送信される。管理サーバ４０は、この指定情報を受信すると、検査スケジュールの作成を開始する。
【００５５】
（３−３）入力部３３
入力部３３は、タッチパネル等であって各種指示を入力するための機能部である。利用者は入力部３３から指示を入力することで、管理サーバ４０や、管理サーバ４０と通信可能である空気調和装置１の動作を適宜制御可能である。入力部３３は、後述する表示部３４に表示された入力画面を介して入力するものであってもよい。例えば、図３は、入力部３３を検査機器指定部３２として機能させている場合における、指定情報の入力画面である。図３においては、入力部３３は、指定情報として冷媒系統Ａ、Ｂ、Ｃ、Ｄを入力している。
【００５６】
（３−４）表示部３４
表示部３４は、各種情報を表示する。スケジュール作成システム１００においては、モバイル端末３０を、情報を表示する出力部として機能させることが可能である。利用者は、モバイル端末３０の表示部３４を介して、スケジュール作成システム１００の動作状況、及び検査に関する情報を適宜把握可能である。例えば、図４Ａに示す表示部３４は、後述する検査スケジュールをモバイル端末３０の利用者に対して表示している。図５に示す表示部３４は、検査に異常が発生した場合における、異常情報を表示している。
【００５７】
（３−５）照合情報送信部３５
照合情報送信部３５は、モバイル端末３０から管理サーバ４０にログインするために、利用者の照合情報を管理サーバ４０に送信する。
【００５８】
（４）管理サーバ４０
図１に示す、管理サーバ４０は、スケジュール作成システム１００の動作を統括的に管理するコンピュータである。管理サーバ４０は、空気調和装置１、及びモバイル端末３０と、互いにデータの送受信を行う。図１に示されるように、管理サーバ４０は、記憶部４１、抽出部４２、取得部４３、スケジュール決定部４４、スケジュール変更部４５、対応部４６、検査指示部４７、及び照合情報受信部４８等の機能部を含んでいる。
【００５９】
（４−１）記憶部６１
記憶部４１は、管理サーバ４０の構成機器のいずれか又は全てに含まれるＲＯＭ、ＲＡＭ、フラッシュメモリ、及びハードディスク等のメモリによって構成される。記憶部４１は、複数の記憶領域を含み、情報を一時的に記憶する揮発性の記憶領域や、各種情報を蓄積する不揮発性の記憶領域を有している。具体的に、記憶部４１には、図６に示されるように、プログラム情報記憶領域４１ａ、系統情報記憶領域４１ｂ、検査情報記憶領域４１ｃ、検査時間情報記憶領域４１ｄ、配置情報記憶領域４１ｅ、結果情報記憶領域４１ｆ、照合情報記憶領域４１ｇ、利用権限情報記憶領域４１ｈ、入力情報記憶領域４１ｉ、及び出力情報記憶領域４１ｊ等の記憶領域が含まれている。各記憶領域に記憶されている各種情報は、適宜変更が可能である。
【００６０】
プログラム情報記憶領域４１ａには、管理サーバ４０の各部において実行される各種処理を定義した制御プログラムや、各ユニット間における通信に利用される通信プロトコル等が記憶されている。
【００６１】
系統情報記憶領域４１ｂには、対象物件に施工される空気調和装置１の冷媒系統Ａ、Ｂ、Ｃ、Ｄに関する情報である、系統情報が記憶されている。系統情報には、各冷媒系統の名称、各冷媒系統に含まれる室外ユニット２ａ〜２ｄ及び室内ユニット３ａ〜５ａ、３ｂ〜５ｂ、３ｃ〜５ｃ、３ｄ〜５ｄの機種、容量、冷媒配管の長さ、室内ユニット３ａ〜５ａ、３ｂ〜５ｂ、３ｃ〜５ｃ、３ｄ〜５ｄの数、等に関する情報が含まれる。
【００６２】
検査情報記憶領域４１ｃには、空気調和装置１が実行する各検査に関する情報である、検査情報が記憶されている。検査情報には、空気調和装置１が実行する各検査の種類、他の検査に与える影響等に関する情報等が含まれる。他の検査に与える影響の情報は、特定の検査を他の検査を同時に実行した場合における、他の検査に与える影響の大きさに関する情報である。他の検査に与える影響が大きい検査は、他の検査と同時に実行することができず、他の検査に与える影響が小さい、または影響がない検査は、他の検査と同時に実行することが可能である。例えば、本実施形態においては、配線検査は他の検査に与える影響が大きく、閉鎖弁検査及び冷媒充填量検査は他の検査に与える影響が小さい。
【００６３】
検査時間情報記憶領域４１ｄには、空気調和装置１が実行する各検査に要する時間に関する情報である、検査時間情報が記憶されている。検査時間情報には、検査ごとにあらかじめ設定された固定検査時間と、冷媒系統の各条件によって変化する変動検査時間、に関する情報と等が含まれている。変動検査時間は、冷媒系統に含まれる機器の機種、機器の容量、冷媒配管の長さ、室内ユニット３ａ〜５ａ、３ｂ〜５ｂ、３ｃ〜５ｃ、３ｄ〜５ｄの数、等の条件によって変化する検査時間である。検査時間記憶領域Ｍ４５には、変動検査時間を算出するための情報が記憶されている。
【００６４】
配置情報記憶領域４１ｅには、空気調和装置１が施工される対象物件における空気調和装置１の配置に関する情報である、配置情報が記憶されている。配置情報には、例えば対象物件の図面、及び対象物件の図面における各機器の配置、に関する情報が含まれている。
【００６５】
結果情報記憶領域４１ｆには、空気調和装置１の検査結果出力部２８から取得した結果情報が記憶されている。
【００６６】
照合情報記憶領域４１ｇには、モバイル端末３０の利用者がネットワークを介して管理サーバ４０に照合する際の照合権限を照合するための、照合情報が記憶されている。照合情報は、利用者に対して任意又は自動的に付与される識別情報、利用者の生体情報、モバイル端末３０に対して任意又は自動的に付与される識別情報、モバイル端末３０の位置情報、及びあらかじめ設定されたパスワード等に関する情報が含まれる。
【００６７】
利用権限情報記憶領域４１ｈには、あらかじめ設定された、管理サーバ４０を利用することのできる権限の範囲等の情報である、利用権限情報を記憶している。利用権限情報は、利用者に対して付与される識別情報、モバイル端末３０に対して付与される識別情報等の情報に紐付けて記憶されている。
【００６８】
入力情報記憶領域４１ｉには、管理サーバ６０に入力された情報が記憶されている。例えば、入力情報記憶領域４１ｉには、モバイル端末３０を介して入力されたコマンドが記憶されている。
【００６９】
出力情報記憶領域４１ｊには、管理サーバ６０から他の装置へ送信される情報が記憶されている。例えば、送信情報記憶領域Ｍ４９には、図４Ａに示す、モバイル端末３０に送信される検査スケジュールが記憶されている。
【００７０】
（４−２）抽出部４２
抽出部４２は、記憶部４１に記憶された情報から各機能部が行う各処理に必要な情報を抽出する。
【００７１】
（４−３）取得部４３
取得部４３は、管理サーバ４０に入力される情報を取得して記憶部４１に格納する処理を行う。例えば、取得部４３は、モバイル端末３０を介して入力される指示、及び指定情報を取得して、入力情報記憶領域４１ｉに格納する。又は、取得部４３は、空気調和装置１から送信される検査結果を取得して結果情報記憶領域４１ｆに格納する。
【００７２】
（４−４）スケジュール決定部４４
スケジュール決定部４４は、検査時間予測部４４ａ、同時実行判定部４４ｂ、及び決定部４４ｃ、を有する。本実施形態においては、モバイル端末３０の検査機器指定部３２によって冷媒系統Ａ、Ｂ、Ｃ、Ｄが指定されたとする。
【００７３】
（４−４−１）検査時間予測部４４ａ
検査時間予測部４４ａは、取得部４３が取得した指定情報に含まれる冷媒系統Ａ、Ｂ、Ｃ、Ｄの検査に要する検査時間を予測する処理を行う。検査時間は、検査を実行するために要する時間である。
【００７４】
検査時間予測部４４ａは、系統情報記憶領域４１ｂ、検査情報記憶領域４１ｃ、検査時間情報記憶領域４１ｄに記憶されている情報を基に、検査時間を予測する。検査時間予測部４４ａによる検査時間の算出の処理には、公知技術を含む所定の手段を用いて行われる。
【００７５】
（４−４−２）同時実行判定部４４ｂ
同時実行判定部４４ｂは、取得部４３が取得した指定情報に含まれる冷媒系統Ａ、Ｂ、Ｃ、Ｄに対して実行する各検査が同時実行可能であるか否かを判定する処理を行う。
【００７６】
同時実行判定部４４ｂは、系統情報記憶領域４１ｂ、検査情報記憶領域４１ｃ、配置情報記憶領域４１ｅに記憶されている情報を基に、各検査が、他の検査と同時実行することができるか否かを判定する処理を行う。例えば、同時実行判定部４４ｂは、検査情報記憶領域４１ｃに記憶されている他の検査に与える影響等に関する情報に基づいて、閉鎖弁検査及び冷媒充填量検査は、同時実行可能であると判断する。さらに、同時実行判定部４４ｂは、配置情報記憶領域４１ｅに記憶されている情報に基づいて、冷媒系統Ａ及び冷媒系統Ｂと、冷媒系統Ｃ及び冷媒系統Ｄと、はそれぞれ同時実行可能であると判断する。
【００７７】
（４−４−３）決定部４４ｃ
決定部４４ｃは、取得部４３が受信した指定情報に含まれる冷媒系統Ａ、Ｂ、Ｃ、Ｄに対して実行する各検査の順序を決定する処理を行う。
【００７８】
決定部４４ｃは、検査時間予測部４４ａ、及び同時実行判定部４４ｂの処理に基づき、検査スケジュールを決定する処理を行う。本実施形態においては、検査スケジュールは、すべての冷媒系統Ａ、Ｂ、Ｃ、Ｄにおけるすべての検査が完了するまでの時間が最も短くなるように決定される。決定部４４ｃによって決定された検査スケジュールは、出力情報記憶領域４１ｊに記憶される。決定部４４ｃによって決定された検査スケジュールは、例えば、図４Ａに示すスケジュールである。図４Ｂは、決定された検査スケジュールを時系列的に示した図である。
【００７９】
（４−５）スケジュール変更部４５
スケジュール変更部４５は、結果情報記憶領域４１ｆに正常情報記憶されると、検査スケジュールを変更する処理を行う。
【００８０】
具体的には、スケジュール変更部４５は、結果情報記憶領域４１ｆに記憶された新たな検査結果が、正常情報であった場合、検査が正常に終了したという情報を出力情報記憶領域４１ｊに記憶させる。次に、スケジュール変更部４５は、スケジュール決定部４４に対し、未だ実行していない残りの検査について、新たな検査スケジュールを決定させる。スケジュール変更部４５は、スケジュール決定部４４に決定させた新たな検査スケジュールを出力情報記憶領域４１ｊに記憶させる。
【００８１】
（４−６）対応部４６
対応部４６は、結果情報記憶領域４１ｆに異常情報記憶されると、スケジュール決定部４４に対し、保留スケジュールを決定させる。本実施形態においては、図５に示すように、冷媒系統Ｄにおいて異常が発生したものとする。
【００８２】
具体的には、結果情報記憶領域４１ｆに記憶された新たな検査結果が、異常情報であった場合、検査が中断されたという情報を出力情報記憶領域４１ｊに記憶させる。次に、対応部４６は、スケジュール決定部４４に対し、中断された検査を実行していた冷媒系統Ｄを除く冷媒系統のみについて検査スケジュールである、保留スケジュールを決定させる。ここでは、冷媒系統Ｄを除く冷媒系統Ａ，Ｂ、Ｃについての保留スケジュールを決定させる。決定された保留スケジュールは、出力情報記憶領域４１ｊに記憶される。保留スケジュールは、例えば、図７に示すようなスケジュールである。
【００８３】
さらに、対応部４６は、管理サーバ４０の取得部４３が対応情報を受信すると、検査スケジュールを変更する処理を行う。具体的には、対応部４６は、冷媒系統Ｄの検査種類に対応処理を加え、スケジュール決定部４４に対し新たな検査スケジュール決定させる。このとき、同時実行判定部４４ｂは、対応処理が他の検査と同時実行可能であるかも判断する。決定された新たな検査スケジュールは、出力情報記憶領域４１ｊに記憶される。
【００８４】
（４−７）検査指示部４７
検査指示部４７は、出力情報記憶領域４１ｊに検査スケジュールが記憶されると、空気調和装置１に対して次に実行する検査の検査指示を送信する。例えば、図７における検査スケジュールでは、次に実行する検査は、冷媒系統Ｄにおける配線検査である。
【００８５】
（４−８）照合情報受信部４８
照合情報受信部４８は、モバイル端末３０から管理サーバ４０にログインしてくる際に受信する、照合情報の照合を行う。照合情報受信部４８は、照合の際にモバイル端末３０から送信される照合情報を、照合情報記憶領域４１ｇに記憶されている照合情報と対比することで、モバイル端末３０、又はモバイル端末３０の利用者の照合を行う。照合部５５は、さらに、照合情報に紐付けて利用権限情報記憶領域４１ｈに記憶されている利用権限情報に基づいて、利用者の利用権限の範囲において機器の制御等を可能とする処理を行う。
【００８６】
（５）管理サーバ４０による検査に関する処理の流れ
以下、図８を参照して、管理サーバ４０による検査に関する処理の流れの一例を説明する。なお、図８に示す処理の流れは、適宜変更が可能であり、処理が適正に行われる限り、いずれかのステップの順序を入れ換えてもよいし、いずれかのステップが同時に実行されてもよいし、図示しない他のステップが追加されてもよい。
【００８７】
（５−１）正常時の処理の流れ
以下、図１３を参照して、管理サーバ４０による検査スケジュールの決定処理、及び検査結果がすべて正常であった場合の処理の流れの一例を説明する。
【００８８】
管理サーバ４０は、図８のステップＳ１０１からステップＳ１１１に示すような流れで処理を実行する。
【００８９】
ステップＳ１０１において、管理サーバ４０は、モバイル端末３０から指定情報を取得する。管理サーバ４０は、取得した指定情報に基づいて検査スケジュールの作成を開始する。
【００９０】
具体的には、まず、モバイル端末３０の利用者はモバイル端末３０の検査機器指定部３２から、検査を実行する複数の冷媒系統を指定する。指定された冷媒系統の情報は指定情報として、ネットワークを介して管理サーバ４０の取得部４３へ送信される。取得部４３は、受信した指定情報を入力情報記憶領域４１ｉに格納する。管理サーバ４０の抽出部４２は、指定された冷媒系統が実行する検査に関する情報を、記憶部４１の各情報領域から抽出する。
【００９１】
ステップＳ１０２において、管理サーバ４０の検査時間予測部４４ａは、抽出部４２が抽出した情報に基づいて、冷媒系統の検査時間の予測の処理を行う。
【００９２】
ステップＳ１０３において、管理サーバ４０の同時実行判定部４４ｂは抽出部４２が抽出した情報に基づいて、各検査が同時実行可能か否かの判断の処理を行う。
【００９３】
ステップＳ１０４において、管理サーバ４０は、ステップＳ１０２、及びステップＳ１０３の処理に基づいて、検査スケジュールを決定し、決定した検査スケジュールをモバイル端末３０に送信する。
【００９４】
具体的には、管理サーバ４０のスケジュール決定部４４は、検査時間予測部４４ａ、及び同時実行判定部４４ｂの処理に基づき、検査スケジュールを決定する処理を行う。本実施形態においては、検査時間が最も短くなるように検査スケジュールを決定する。スケジュール決定部４４によって決定された検査スケジュールは、出力情報記憶領域４１ｊに記憶される。検査スケジュールは、例えば、図４Ａに示す決定スケジュールである。管理サーバ４０は、検査スケジュールを、ネットワークを介してモバイル端末３０に送信する。モバイル端末３０は、受信した検査スケジュールを表示部３４に表示する。モバイル端末３０の利用者は、表示された検査スケジュールを確認し、入力部３３から検査スケジュールに基づいて各検査を実行する指示を入力する。
【００９５】
ステップＳ１０５において、管理サーバ４０は、空気調和装置１が次に行う検査の検査指示を送信する。
【００９６】
具体的には、まず、管理サーバ４０の検査指示部４７は、空気調和装置１が次に行うべき検査の検査指示を、ネットワークを介して、空気調和装置１の実行指示受信部２５へ送信する。空気調和装置１が次に行うべき検査は、記憶部４１の出力情報記憶領域４１ｊに記憶した検査スケジュールに基づいて決定される。ここで、次に行うべき検査が複数ある場合は、検査指示部４７は複数の検査を重複して実行する旨の検査指示を実行指示受信部２５へ送信する。空気調和装置１は、受信した検査指示に基づいて検査を実行する。空気調和装置１の検査結果判断部２７は、検査実行部２６が実行している検査において取得したセンサ等の各検知値が正常であるか否かを判断し、結果情報を生成する。空気調和装置１の検査結果出力部２８は、ネットワークを介して、管理サーバ４０の取得部４３へ結果情報を送信する。
【００９７】
ステップＳ１０６において、管理サーバ４０が受信した結果情報が正常情報である場合は、ステップＳ１０７へ移行する。管理サーバ４０が受信した結果情報が異常情報である場合は、ステップＳ１１２へ移行する。
【００９８】
ステップＳ１０７において、管理サーバ４０が受信した結果情報が正常情報である場合について説明する。管理サーバ４０は、空気調和装置１から実行した検査の検査結果である正常情報を取得し、記憶部４１に記憶する。
【００９９】
具体的には、管理サーバ４０の取得部４３は、空気調和装置１の検査結果出力部２８からネットワークを介して正常情報を取得する。取得部４３が取得した正常情報は、結果情報記憶領域４１ｆに記憶される。
【０１００】
ステップＳ１０８において、管理サーバ４０は、検査スケジュールを変更する。
【０１０１】
具体的には、スケジュール変更部４５は、スケジュール決定部４４に対し、未だ実行していない残りの検査について、新たな検査スケジュールを決定させる。スケジュール変更部４５は、スケジュール決定部４４に決定させた新たな検査スケジュールを出力情報記憶領域４１ｊに記憶させる。管理サーバ４０は、新たな検査スケジュールをモバイル端末３０に送信する。
【０１０２】
ステップＳ１０９において、管理サーバ４０は、記憶部４１に記憶された新たな検査スケジュールに基づいて空気調和装置１が次に行う検査の検査指示を送信する。管理サーバ４０から空気調和装置１への検査指示の送信処理は、ステップＳ１０５と同様である。
【０１０３】
ステップＳ１１０において、管理サーバ４０は、モバイル端末３０の検査機器指定部３２に指定されたすべての冷媒系統においてすべての検査が完了するまでステップＳ１０６からステップＳ１０９を繰り返す。
【０１０４】
ステップＳ１１１において、すべての冷媒系統においてすべての検査が完了すると、管理サーバ４０は、モバイル端末３０にすべての検査が完了した旨の報告を送信する。モバイル端末３０は、この報告を表示部３４に表示し、利用者に確認させる。
【０１０５】
（５−２）異常時の対応処理の流れ
以下、ステップＳ１０６において、異常情報を取得した場合の処理の流れの一例を説明する。
【０１０６】
管理サーバ４０は、ステップＳ１１２からステップＳ１１５に示すような流れで処理を実行する。
【０１０７】
ステップＳ１０６において、異常情報を取得した場合、ステップＳ１１２において、管理サーバ４０は、空気調和装置１から異常情報を取得し、記憶部４１に記憶する。
【０１０８】
具体的には、管理サーバ４０の取得部４３は、空気調和装置１の検査結果出力部２８からネットワークを介して異常情報を取得する。取得部４３が取得した異常情報は、結果情報記憶領域４１ｆに記憶される。この時、空気調和装置１の検査結果判断部２７は、検査実行部２６が実行している検査を中断する。
【０１０９】
ステップＳ１１３において、管理サーバ４０は、中断された検査を実行していた冷媒系統を保留状態とし、中断された検査を実行していた冷媒系統を除く冷媒系統において保留スケジュールに基づく検査を実行させる。
【０１１０】
具体的には、管理サーバ４０の対応部４６は、スケジュール決定部４４に対し、中断された検査を実行していた冷媒系統を除く冷媒系統のみについて検査スケジュールである、保留スケジュールを決定させる。決定された保留スケジュールは、出力情報記憶領域４１ｊに記憶される。検査指示部４７は、保留スケジュールに基づいて、空気調和装置１が次に行うべき検査の検査指示を、ネットワークを介して、空気調和装置１の実行指示受信部２５へ送信する。空気調和装置１の検査実行部２６は、検査指示に基づいて検査を実行する。
【０１１１】
ステップＳ１１４において、管理サーバ４０は、異常情報をモバイル端末３０に送信する。管理サーバ４０は、モバイル端末３０から異常に対応するため対応処理の情報である対応情報を取得する。
【０１１２】
具体的には、まず、管理サーバ４０の結果情報記憶領域４１ｆに記憶された異常情報を、ネットワークを介して、モバイル端末３０に送信する。この時、管理サーバ４０は、保留スケジュールを同時に送信してもよい。モバイル端末３０は、表示部３４に異常情報を表示し、利用者に確認させる。利用者は、モバイル端末３０の入力部から対応情報を入力する。対応情報は、あらかじめ管理サーバ４０の記憶された所定の対応方法に関する情報であってもよいし、モバイル端末３０の利用者が新たに入力する情報であってもよい。対応情報は、ネットワークを介して、管理サーバ４０の取得部４３へ送信される。受信した対応情報は、結果情報記憶領域４１ｆに記憶された異常情報と関連付けて記憶される。
【０１１３】
ステップＳ１１５において、管理サーバ４０は、対応情報に含まれる対応処理を含む新たな検査スケジュールを作成する。
【０１１４】
具体的には、管理サーバ４０の対応部４６は、冷媒系統Ｄの検査種類に対応処理を加え、スケジュール決定部４４に対し新たな検査スケジュール決定させる。決定された新たな検査スケジュールは、記憶部４１の出力情報記憶領域４１ｊに記憶される。管理サーバ４０の検査指示部４７は、新たな検査スケジュールに基づいて空気調和装置１が次に行うべき検査又は対応処理の指示を、ネットワークを介して、空気調和装置１の実行指示受信部２５へ送信する。空気調和装置１の検査実行部２６は、指示に基づいて検査又は対応処理を実行する。
【０１１５】
ステップＳ１１５において、異常時の対応処理を終了し、ステップＳ１０５へ移行する。
【０１１６】
（６）変形例
（６−１）変形例１
スケジュール決定部４４の決定部４４ｃは、すべての冷媒系統におけるすべての検査が完了するまでの時間が最も短くなるように検査スケジュールを決定しているが、決定部４４ｃは、異常対応時間が長い検査から順に検査を実行するように検査スケジュールを決定してもよい。異常対応時間とは、検査結果に異常が発生した場合に必要な対応を実行するために要する時間である。この時、記憶部４１の検査情報記憶領域４１ｃ、又は検査時間情報記憶領域４１ｄには、異常対応時間、又は異常対応時間を算出するための情報が記憶されている。
【０１１７】
（６−２）変形例２
本実施形態において、利用者はモバイル端末３０の代わりに空気調和装置１に付属されているリモコンを用いてもよい。リモコンは、指示部、受付部、及び出力部を有している。リモコンの指示部は、管理サーバ４０に対して指定情報の入力、及び指示の入力を行う。受付部は、管理サーバ４０から情報を取得する。出力部は、利用者に対して情報を表示する。
【０１１８】
（６−３）変形例３
本実施形態において、管理サーバ４０及び空気調和装置１は、ネットワークに接続されている。ここで、管理サーバ４０及び空気調和装置１とは、ＷＡＮ等の広域ネットワークに接続されていても、ＬＡＮ等の広域ネットワークに接続されていてもよい。また、管理サーバ４０は、クラウド等に対応していてもよい。
【０１１９】
（７）特徴
（７−１）
本実施形態の検査実行方法は、複数の機器としての空気調和装置１それぞれに対して、複数の検査を実行させるための、コンピュータによる検査実行方法である。検査実行方法は、スケジュール決定ステップと、検査実行ステップと、を備える。スケジュール決定ステップは、複数の検査の順序を少なくとも含む検査スケジュールを決定する。検査実行ステップは、決定された検査スケジュールに基づいて、機器に検査を実行させる。
【０１２０】
これによって、複数の検査を効率的に実行することができる。
【０１２１】
（７−２）
本実施形態の検査実行方法は、異常対応時間が長い検査を、異常対応時間が短い検査、より先に実行するように検査スケジュールを決定する。異常対応時間は、検査の結果である検査結果に異常が発生した場合に必要な対応を実行するために要する時間である。
【０１２２】
これによって、検査において異常が発生した場合においても、複数の検査を効率的に実行することができる。
【０１２３】
（７−３）
本実施形態の検査実行方法は、検査は、空気調和装置１の検査が他の空気調和装置１の検査の結果に及ぼす影響がない、あるいは、影響が小さい第１の種類の検査と、第１の種類の検査よりも影響が大きい第２の種類の検査と、を含む。検査スケジュールは、影響が小さい第１の種類の検査を重複して実行させるように決定する。
【０１２４】
これによって、複数の検査に要する時間を短縮することが可能であり、複数の検査を効率的に実行することができる。
【０１２５】
（７−４）
本実施形態の検査実行方法は、熱源ユニットとしての室外ユニット２ａ〜２ｄに複数の利用ユニットとしての室内ユニット３ａ〜５ａ、３ｂ〜５ｂ、３ｃ〜５ｃ、３ｄ〜５ｄが接続される冷媒サイクル装置としての空気調和装置１である。検査は、空気調和装置１に充填する冷媒の冷媒充填量の検査と、室外ユニット２ａ〜２ｄと複数の室内ユニット３ａ〜５ａ、３ｂ〜５ｂ、３ｃ〜５ｃ、３ｄ〜５ｄとを接続するための配線が適切であるか否かを調べる配線の検査と、を含む。
【０１２６】
（７−５）
本実施形態の検査実行方法は、スケジュール決定ステップは、複数の空気調和装置１の配置の情報である、配置情報に基づいて決定される。
【０１２７】
（７−６）
本実施形態の検査実行方法は、それぞれの検査を実行するために要する時間である、検査時間を予測する、検査時間予測ステップ、をさらに備える。スケジュール決定ステップは、予測された検査時間に基づいて検査スケジュールを決定する。
【０１２８】
（７−７）
本実施形態の検査実行方法は、検査結果記憶ステップと、検査結果表示ステップと、をさらに備える。検査結果記憶ステップは、検査の結果である検査結果を記憶する。検査結果表示ステップは、検査結果を表示する。
【０１２９】
（７−８）
本実施形態の検査実行方法は、検査結果判断ステップと、検査中断ステップと、をさらに備える。検査結果判断ステップは、検査結果が正常であるか否かを判断する。検査中断ステップは、検査結果判断ステップの検査結果が正常でない場合、検査を中断する。
【０１３０】
（７−９）
本実施形態の検査実行方法は、検査ステップの進捗状況に基づいて、検査スケジュールを変更するスケジュール変更ステップ、をさらに備える。
【０１３１】
（７−１０）
本実施形態の管理サーバ４０は、室外ユニット２ａ〜２ｄに複数の室内ユニット３ａ〜５ａ、３ｂ〜５ｂ、３ｃ〜５ｃ、３ｄ〜５ｄが接続される複数の空気調和装置１に対して、それぞれ複数の検査を実行させるためのコンピュータに接続された管理サーバである。管理サーバ４０は、スケジュール決定部４４と、検査指示部４７と、を備える。スケジュール決定部４４は、複数の検査の順序を少なくとも含む。検査指示部４７は、決定された検査スケジュールに基づいて検査の実行を指示する。
【０１３２】
これによって、複数の検査を効率的に実行することができる。
【０１３３】
（７−１１）
本実施形態の管理サーバ４０は、記憶部４１と、照合部としての照合情報受信部４８と、をさらに備える。記憶部４１は、管理サーバ４０を利用する利用者を照合する照合情報を記憶する。照合情報受信部４８は、記照合情報を各利用者と照合する。
【０１３４】
（７−１２）
本実施形態のモバイル端末３０は、室外ユニット２ａ〜２ｄに複数の室内ユニット３ａ〜５ａ、３ｂ〜５ｂ、３ｃ〜５ｃ、３ｄ〜５ｄが接続される複数の空気調和装置１に対して、それぞれ複数の検査を実行させるためのコンピュータに接続されたモバイル端末３０である。モバイル端末３０は、検査機器指定部３２と、表示部３４と、を備える。検査機器指定部３２は、検査の対象である機器を指定する。表示部３４は、検査の結果を表示する。
【０１３５】
これによって、複数の検査を効率的に実行することができる。
【０１３６】
（７−１３）
本実施形態の冷媒サイクル装置としての空気調和装置１は、室外ユニット２ａ〜２ｄに複数の室内ユニット３ａ〜５ａ、３ｂ〜５ｂ、３ｃ〜５ｃ、３ｄ〜５ｄが接続される。空気調和装置１は、実行指示受信部２５と、検査実行部２６と、検査結果出力部２８と、を備える。実行指示受信部２５は、空気調和装置１に対し複数の検査を実行させる検査指示、を受信する。検査実行部２６は、実行指示受信部２５が検査指示を受信すると、検査を実行する。検査結果出力部２８は、検査実行部２６が行った検査の結果を出力する。
【０１３７】
（７−１４）
本実施形態のモバイル端末３０は、モバイル端末を利用する利用者を照合するための照合情報を記憶する、記憶部３１をさらに備える。照合情報は、個人識別情報、パスワード、モバイル端末識別情報、モバイル端末位置情報、のうち少なくとも１つを含む。
【０１３８】
（８）
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１３９】
１                                              機器、冷媒サイクル装置
２ａ、２ｂ、２ｃ、２ｄ                          熱源ユニット
３ａ〜５ａ、３ｂ〜５ｂ、３ｃ〜５ｃ、３ｄ〜５ｄ  利用ユニット
２５                                            受信部
２６                                            検査実行部
２８                                            出力部
３０                                            モバイル端末
３１                                            記憶部
３２                                            検査機器照合部
３４                                            表示部
４０                                            管理サーバ
４１                                            記憶部
４４                                            スケジュール決定部
４７                                            照合部
Ｓ１０２                                        検査時間予測ステップ
Ｓ１０４                                        スケジュール決定ステップ
Ｓ１０５                                        検査ステップ
Ｓ１０６                                        検査結果判断ステップ
Ｓ１０７、Ｓ１１２                              検査結果記憶ステップ
Ｓ１０８                                        スケジュール変更ステップ
Ｓ１１１                                        検査結果記憶ステップ
Ｓ１１２                                        検査中断ステップ
【先行技術文献】
【特許文献】
【０１４０】
【特許文献１】特公平０７−０６５７９２号公報
【図１】
2020139674.tif 000003
【図２Ａ】
2020139674.tif 000004
【図２Ｂ】
2020139674.tif 000005
【図３】
2020139674.tif 000006
【図４Ａ】
2020139674.tif 000007
【図４Ｂ】
2020139674.tif 000008
【図５】
2020139674.tif 000009
【図６】
2020139674.tif 000010
【図７】
2020139674.tif 000011
【図８】
2020139674.tif 000012